【手続補正書】
【提出日】平成31年1月31日(2019.1.31)
【手続補正１】
【補正対象書類名】特許請求の範囲
【補正対象項目名】全文
【補正方法】変更
【補正の内容】
【特許請求の範囲】
【請求項１】
繊維質基材を処理する方法であって、前記繊維質基材を撥水性にするのに十分な量のフッ素不含処理組成物を適用することを含み、前記処理組成物が、
少なくとも１つのオリゴマーを含むカルボジイミド化反応混合物のカルボジイミド化反応から生じるポリカルボジイミド化合物を少なくとも１つ含み、前記オリゴマーが、少なくとも１つのイソシアネート末端基及び少なくとも２つの繰り返し単位を含み、前記少なくとも２つの繰り返し単位のそれぞれが、少なくとも１６個の炭素原子を有する炭化水素基を少なくとも１つ含む方法。
【請求項２】
前記オリゴマーが、少なくとも１つのイソシアネート末端基と、少なくとも２つの、少なくとも１つの（メタ）アクリレートモノマーの繰り返し単位と、を含み、前記（メタ）アクリレートモノマーが、以下の式：
Ｒ１−ＯＣ（Ｏ）Ｃ（Ｒ２）＝ＣＨ２  （式Ｉ）
［式中、
Ｒ１は、少なくとも１６個の炭素原子を有する炭化水素基を含み、
Ｒ２は、Ｈ又はＣＨ３である。］
を有する、請求項１に記載の方法。
【請求項３】
前記ポリカルボジイミドが、以下の式：
Ｈ−Ｘ３−（ＣＨ２）ｍ−（Ｚ１）ｏ−（ＣＨ２）ｎ−Ｘ４−Ｈ  （式ＶＩＩＩ）
［式中、
Ｘ３及びＸ４は、独立して、Ｓ、−ＮＨ、−Ｎ（Ｒ１０）又はＯであり、Ｒ１０は、１〜２０個の炭素原子を有する炭化水素基であり、
ｍ及びｎは、独立して、１〜１２の整数であり、
ｏは、０又は１であり、
Ｚ１は、
１〜２０個の炭素原子を有する、分枝鎖又は直鎖アルキレン基、
２〜１００個のジメチルシロキサン繰り返し単位を含む二価ポリジメチルシロキサン基、
２〜１００個のアルキレンオキシド繰り返し単位を含む二価アルキレンオキシド基、及び
これらの組み合わせから選択される。］
を有する少なくとも１つのイソシアネート反応性二官能性化合物、を含む反応混合物から更に調製される、請求項１に記載の方法。
【請求項４】
式：
Ｑ２−（Ｘ５−Ｃ（Ｏ）ＮＨ−（Ａ１−（Ｎ＝Ｃ＝Ｎ））ｒ−（Ｚ２）ｑ−Ａ２−ＮＨＣ（Ｏ）−Ｘ６）ｐ−Ｑ３  （式ＩＸ）
［式中、
Ｘ５及びＸ６は、独立して、Ｓ、−ＮＨ、−Ｎ（Ｒ１１）又はＯであり、Ｒ１１は、１〜２０個の炭素原子を有する炭化水素基であり、
Ａ１及びＡ２は、独立して、有機ジイソシアネート化合物からイソシアネート基を除去することによって得られる有機ジイソシアネート化合物の残基であり、
ｑ＝０又は１であり、
ｐは、１〜１０の整数であり、
ｒは、１〜２０の整数であり、
Ｚ２は、以下の式：
−Ｘ３−（ＣＨ２）ｍ−（Ｚ１）ｏ−（ＣＨ２）ｎ−Ｘ４−  （式Ｘ）
（式中、
Ｘ３及びＸ４は、独立して、Ｓ、−ＮＨ、−Ｎ（Ｒ１１）又はＯであり、Ｒ１１は、１〜２０個の炭素原子を有する炭化水素基であり、
ｍ及びｎは、独立して、１〜１２の整数であり、
ｏは、０又は１であり、
Ｚ１は、
１〜２０個の炭素原子を有する、分枝鎖又は直鎖アルキレン基、
２〜１００個のジメチルシロキサン繰り返し単位を含む二価ポリジメチルシロキサン基、
２〜１００個のアルキレンオキシド繰り返し単位を含む二価アルキレンオキシド基、及び
これらの組み合わせから選択される。）
の二価基であり、
Ｑ２及びＱ３は、独立して、
少なくとも２個の炭素原子を有する炭化水素基、及び
以下の式：
−（ＣＨ２）ａ−Ｓ−Ｕ  （式ＸＩ）
（式中、
ａは、１〜１０の整数であり、
Ｓは、硫黄であり、
Ｕは、
（メタ）アクリレートモノマーの２〜２０個の繰り返し単位を含み、各繰り返し単位が、独立して、少なくとも１６個の炭素原子を有するアルキル基を含む、オリゴマー、
ウレタン含有（メタ）アクリレートモノマーの２〜２０個の繰り返し単位を含み、各繰り返し単位が、独立して、少なくとも１６個の炭素原子を有するアルキル基を含む、オリゴマー、
ウレア含有（メタ）アクリレートモノマーの２〜２０個の繰り返し単位を含み、各繰り返し単位が、独立して、少なくとも１６個の炭素原子を有するアルキル基を含む、オリゴマー、及び
これらの組み合わせから選択される。）
を有する基から選択される。
ただし、Ｑ２及びＱ３の両方が少なくとも２つの炭素原子を有する炭化水素基であることはない。］
の少なくとも１つのポリカルボジイミド化合物を含むフッ素不含組成物を適用することを含む、請求項１に記載の方法。
【請求項５】
前記処理組成物が、少なくとも１つのパラフィンワックスを更に含む、請求項１に記載の方法。
【請求項６】
少なくとも１つのパラフィンワックス、及び
少なくとも１つのポリカルボジイミド化合物、を含み、
前記少なくとも１つのポリカルボジイミド化合物が、それぞれ少なくとも１６個の炭素原子を有する少なくとも２つの炭化水素基を有する、又は
前記少なくとも１つのポリカルボジイミド化合物が、少なくとも１つのオリゴマーを含むカルボジイミド化反応混合物のカルボジイミド化反応から生じ、前記オリゴマーが、少なくとも１つのイソシアネート末端基及び少なくとも２つの繰り返し単位を含み、前記少なくとも２つの繰り返し単位のそれぞれが、少なくとも１６個の炭素原子を有する炭化水素基を少なくとも１つ含む、フッ素不含組成物。
【請求項７】
前記ポリカルボジイミド化合物が、以下の式：
Ｑ２−（Ｘ５−Ｃ（Ｏ）ＮＨ−（Ａ１−（Ｎ＝Ｃ＝Ｎ））ｒ−（Ｚ２）ｑ−Ａ２−ＮＨＣ（Ｏ）−Ｘ６）ｐ−Ｑ３  （式ＩＸ）
［式中、
Ｘ５及びＸ６は、独立して、Ｓ、−ＮＨ、−Ｎ（Ｒ１１）又はＯであり、Ｒ１１は、１〜２０個の炭素原子を有する炭化水素基であり、
Ａ１及びＡ２は、独立して、有機ジイソシアネート化合物からイソシアネート基を除去することによって得られる有機ジイソシアネート化合物の残基であり、
ｑ＝０又は１であり、
ｐは、１〜１０の整数であり、
ｒは、１〜２０の整数であり、
Ｚ２は、以下の式：
−Ｘ３−（ＣＨ２）ｍ−（Ｚ１）ｏ−（ＣＨ２）ｎ−Ｘ４−  （式Ｘ）
（式中、
Ｘ３及びＸ４は、独立して、Ｓ、−ＮＨ、−Ｎ（Ｒ１１）又はＯであり、Ｒ１１は、１〜２０個の炭素原子を有する炭化水素基であり、
ｍ及びｎは、独立して、１〜１２の整数であり、
ｏは、０又は１であり、
Ｚ１は、
１〜２０個の炭素原子を有する、分枝鎖又は直鎖アルキレン基、
２〜１００個のジメチルシロキサン繰り返し単位を含む二価ポリジメチルシロキサン基、
２〜１００個のアルキレンオキシド繰り返し単位を含む二価アルキレンオキシド基、及び
これらの組み合わせから選択される。）
の二価基であり、
Ｑ２及びＱ３は、独立して、
少なくとも２個の炭素原子を有する炭化水素基、及び
以下の式：
−（ＣＨ２）ａ−Ｓ−Ｕ  （式ＸＩ）
（式中、
ａは、１〜１０の整数であり、
Ｓは、硫黄であり、
Ｕは、
（メタ）アクリレートモノマーの２〜２０個の繰り返し単位を含み、各繰り返し単位が、独立して、少なくとも１６個の炭素原子を有するアルキル基を含む、オリゴマー、
ウレタン含有（メタ）アクリレートモノマーの２〜２０個の繰り返し単位を含み、各繰り返し単位が、独立して、少なくとも１６個の炭素原子を有するアルキル基を含む、オリゴマー、
ウレア含有（メタ）アクリレートモノマーの２〜２０個の繰り返し単位を含み、各繰り返し単位が、独立して、少なくとも１６個の炭素原子を有するアルキル基を含む、オリゴマー、及び
これらの組み合わせから選択される。）
を有する基から選択される。
ただし、Ｑ２及びＱ３の両方が少なくとも２つの炭素原子を有する炭化水素基であることはない。］
を有する、請求項６に記載の組成物。
【請求項８】
前記パラフィンワックスが、４０℃〜７０℃の融点を有する、請求項６に記載の組成物。
【請求項９】
前記パラフィンワックスが、３０重量％〜７０重量％の量で前記処理組成物中に存在し、前記ポリカルボジイミドが、３０重量％〜７０重量％の量で存在する、請求項６に記載の組成物。
【請求項１０】
請求項１に記載の方法によって処理された繊維質基材。